(57)【要約】  実施形態にかかる表示処理装置は、取得部と、通信部と、通信制御部と、出力部と、を備える。取得部は、表示装置が表示を行う表示領域に接触されたことを示す検出情報を取得する。通信部は、通信端末との間でデータの送受信を可能とする。通信制御部は、取得部が取得した検出情報と、通信端末から受信した、当該通信端末の属性を示した属性情報と、に基づいて表示領域に通信端末が接触したと判定される場合に、通信部より通信端末との間で所定のデータの通信を行う。出力部は、データを表す表示情報が配置された画面情報を表示部に出力すると共に、通信部により通信端末と通信が可能となった場合に、当該通信端末が利用可能なデータを表す表示情報を、他の表示情報と表示態様を異ならせて表示部に出力する。
2014155730.tif 000002
【特許請求の範囲】
【請求項１】
表示装置が表示を行う表示領域に接触されたことを示す検出情報を取得する取得部と、
通信端末との間でデータの送受信を可能とする通信部と、
前記取得部が取得した前記検出情報と、前記通信端末から受信した、当該通信端末の属性を示した属性情報と、に基づいて前記表示領域に前記通信端末が接触したと判定される場合に、前記通信部より前記通信端末との間で所定のデータの通信を行う通信制御部と、
データを表す表示情報が配置された画面情報を表示部に出力すると共に、前記通信部により前記通信端末と通信が可能となった場合に、当該通信端末が利用可能なデータを表す前記表示情報を、他の表示情報と表示態様を異ならせて前記表示部に出力する出力部と、
を備える表示処理装置。
【請求項２】
前記表示領域で接触が行われた場合に当該接触を検出可能な表示装置を、
さらに備える請求項１に記載の表示処理装置。
【請求項３】
前記出力部は、前記通信制御部により複数の通信端末と通信可能な場合に、前記複数の通信端末の各々が利用可能か否かに応じて表示態様を異ならせて前記表示部に出力する、
請求項１又は２に記載の表示処理装置。
【請求項４】
前記出力部が表示する表示情報は、データを表すアイコン、サムネイル、又はボタンである、
請求項１又は２に記載の表示処理装置。
【請求項５】
前記出力部は、当該通信端末が利用可能なデータを表す前記表示情報について、影を強調、又は外枠の色を異ならせて前記表示部に出力する、
請求項１又は２に記載の表示処理装置。
【請求項６】
表示装置が表示を行う表示領域に接触されたことを示す検出情報を取得する取得ステップと、
前記取得ステップが取得した前記検出情報と、通信端末から受信した、当該通信端末の属性を示した属性情報と、に基づいて前記表示領域に前記通信端末が接触したと判定される場合に、通信部より前記通信端末との間で所定のデータの通信を行う通信制御ステップと、
データを表す表示情報が配置された画面情報を表示部に出力すると共に、前記通信部により前記通信端末と通信が可能となった場合に、当該通信端末が利用可能なデータを表す前記表示情報を、他の表示情報と表示態様を異ならせて表示部に出力する出力ステップと、
を有する表示処理方法。 
【発明の詳細な説明】
【技術分野】
【０００１】
本発明の実施形態は、表示処理装置、及び表示処理方法に関する。
【背景技術】
【０００２】
従来、タッチパネルによるユーザインタフェースを備えた表示処理装置が知られている。表示処理装置では、例えば利用者が指や指定の端末において、ユーザインタフェース上に表示されたアイコン等に接触した場合に、アイコンに関連付けられたデータに基づく処理を行っている。【０００３】
例えば、表示処理装置が表示するアイコン等に対して、通信端末で接触した際に、通信端末と表示処理装置との間で、接触したアイコンに対応するデータを送受信する技術が知られている。
【先行技術文献】
【特許文献】
【０００４】
【特許文献１】特開２００９−２８２８５４号公報
【発明の概要】
【発明が解決しようとする課題】
【０００５】
しかしながら、従来技術では、通信端末で利用可能なデータの形式が限られているが、ユーザインタフェースに表示されたアイコンでは、当該通信端末で利用可能なデータであるか否かを認識するのは難しい。
【課題を解決するための手段】
【０００６】
本発明は、上記に鑑みてなされたものであって、表示処理装置は、取得部と、通信部と、通信制御部と、出力部と、を備える。取得部は、表示装置が表示を行う表示領域に接触されたことを示す検出情報を取得する。通信部は、通信端末との間でデータの送受信を可能とする。通信制御部は、取得部が取得した検出情報と、通信端末から受信した、当該通信端末の属性を示した属性情報と、に基づいて表示領域に通信端末が接触したと判定される場合に、通信部より通信端末との間で所定のデータの通信を行う。出力部は、データを表す表示情報が配置された画面情報を表示部に出力すると共に、通信部により通信端末と通信が可能となった場合に、当該通信端末が利用可能なデータを表す表示情報を、他の表示情報と表示態様を異ならせて表示部に出力する。
【図面の簡単な説明】
【０００７】
【図１】図１は、実施形態にかかる表示処理装置のハードウェア構成図である。
【図２】図２は、表示部としてプロジェクタを用いて、壁面に画像を表示する変形例を示した図である。
【図３】図３は、実施形態にかかるアイコン記憶部に記憶されるアイコンデータテーブルのデータ構造を示した図である。
【図４】図４は、実施形態にかかる携帯端末のハードウェア構成図である。
【図５】図５は、実施形態にかかる表示処理装置で端末連携プログラムを実行した時のユーザインタフェース画面の例を示した図である。
【図６】図６は、実施形態にかかる携帯端末が利用可能なデータを表すアイコンを、他のアイコンと表示態様を異ならせて表示された第１の画面の変形例を示した図である。
【図７】図７は、実施形態にかかる携帯端末が利用可能なデータを表すアイコンを、他のアイコンと表示態様を異ならせて表示された第２の画面の変形例を示した図である。
【図８】図８は、実施形態にかかる表示処理装置と携帯端末との連携処理が行われる際のタイミングチャートを示した図である。
【図９】図９は、実施形態にかかる表示処理装置と複数の携帯端末との連携処理が行われる際のタイミングチャートを示した図である。
【図１０】図１０は、複数の携帯端末の各々が利用可能なデータを表すアイコンが、他のアイコンと表示態様を異ならせて表示された画面例を示した図である。
【図１１】図１１は、実施形態にかかる出力部の表示制御による画面遷移の例を示した図である。
【図１２】図１２は、実施形態にかかる出力部によるアイコンの移動先の例を示した図である。
【図１３】図１３は、実施形態にかかる表示処理装置からデータをダウンロードさせる際の携帯端末の配置を示した図である。
【図１４】図１４は、実施形態にかかる出力部により出力される画面情報の遷移の例を示した図である。
【図１５】図１５は、変形例にかかる出力部により出力される画面情報の遷移の第１の例を示した図である。
【図１６】図１６は、変形例にかかる出力部により出力される画面情報の遷移の第２の例を示した図である。
【図１７】図１７は、実施形態にかかる出力部により、表示態様が変更されたログインボタンが配置された画面例を示した図である。
【図１８】図１８は、実施形態にかかる出力部により、表示態様が変更されたログインボタンが配置された画面例を示した図である。
【図１９】図１９は、実施形態にかかる表示処理装置における、携帯端末との間で通信を開始するまでの処理の手順を示すフローチャートである。
【発明を実施するための形態】
【０００８】
以下に、表示処理装置及び表示処理方法を適用した実施形態を図面に基づいて説明する。なお、この実施形態によりこの発明が限定されるものではない。
【０００９】
実施形態にかかる表示処理装置は、タッチパネル式の表示部にユーザインタフェース画面を表示する。表示処理装置は、ユーザインタフェース画面に対する接触を検出することで所定の処理を実行する。携帯端末は、携帯可能な通信端末であり、例えばスマートフォン等を利用することができるが、他の専用のデバイスを利用してもよい。例えば、ペンのような形状のデバイスであってもよい。
【００１０】
図１は、実施形態の表示処理装置１のハードウェア構成図である。図１に示されるように、表示処理装置１は、表示部１１と、ＣＰＵ１２と、表示コントローラ部１３と、記憶部１４と、位置取得部１５と、位置取得ＩＦ（インターフェース）部１６と、通信部１７とを備えている。
【００１１】
表示部１１は、液晶表示パネル等で構成されており、利用者に対するユーザインタフェース画面を表示する。ＣＰＵ１２は、表示処理装置１全体を制御する。表示コントローラ部１３は、ＣＰＵ１２からの制御に従って、表示部１１に情報やユーザインタフェース画面を画像の形式に変換して描画する。
【００１２】
位置取得部１５は、表示部１１に接触した位置座標を取得する。位置取得部１５は、表示部１１の表面に貼られたタッチセンサーフィルムにより構成される。タッチセンサーフィルムにはＸ軸方向、及びＹ軸方向にセンサーが並んでおり、利用者が手や指、又は携帯端末等で画面に接触した場合に、タッチセンサーフィルムがこれらの接触を検出して、接触した位置座標を含めた検出信号を、位置取得ＩＦ部１６に出力する。なお、実際に接触することに制限するものではなく、表示部１１に物体がほぼ接触した状態を、接触とみなしてもよい。
【００１３】
位置取得ＩＦ部１６は、位置取得部１５から入力された検出信号（タッチセンサーフィルムが検出した位置座標を含む）を、ＣＰＵ１２に出力する。
【００１４】
位置取得部１５は、光学式タッチセンサーであってもよい。光学式タッチセンサーは光が透過したり遮断されたりすることを検出して物体の存在を検出する方式でもよいし、またカメラを用いてその撮像画像から物体の存在を検出する方式でもよい。
【００１５】
実施形態の表示処理装置１としては、例えばタッチパネルを搭載したテレビジョン表示装置などが考えられるが、このような装置に制限するものではない。
【００１６】
図２は、表示部１１としてプロジェクタ２１０を用いて、壁面に画像を表示する変形例を示した図である。図２に示す例では、位置取得部として、画像が投影された壁面に対して、接触が行われた場合の位置を検出するために、光学式タッチセンサー２０１、２０２を備えた例である。このような変形例であっても、実施形態と同様の処理で、同様の効果を実現できる。また、位置取得部として、光学式タッチセンサー２０１、２０２に制限するものではなく、撮像カメラ等を用いてもよいし、実施形態と同様に、タッチセンサーフィルムを用いてもよい。
【００１７】
さらには、表示処理装置としては、表示装置を内部に備えた装置に制限するものではなく、表示処理を行う装置であればよい。表示処理装置としては、例えば、タッチセンサーを有する表示装置を外付けするセット・トップ・ボックスや、コンピュータ等であってもよい。タッチセンサーを有する表示装置としては、コンピュータのモニターとしてよく知られており、例えばタッチセンサーからの信号はＵＳＢ端子を介して表示処理装置に入力される。
【００１８】
図１に示される実施形態に戻り、通信部１７は、表示処理装置１の他の端末（例えば通信端末）との間のデータの送受信を可能とする構成とする。例えば、通信部１７は、Bluetooth（登録商標）や無線ＬＡＮによる携帯端末のデータ送受信や、無線ＬＡＮによるインターネット通信等を行う。
【００１９】
記憶部１４は、情報を記憶可能なＲＯＭ及びＲＡＭなどの記憶媒体で構成され、アイコン記憶部２１と、プログラム群２２と、端末連携プログラム２３とを備えている。
【００２０】
アイコン記憶部２１は、ユーザインタフェース画面上に表示するアイコンの画像データと、アイコンが接触された場合に処理を行うプログラムと、表示部１１の表示領域における当該アイコンの表示位置を表す位置情報と、を対応付けて記憶している。
【００２１】
図３は、アイコン記憶部２１に記憶されるアイコンデータテーブル３００のデータ構造を示した図である。図３に示されるように、アイコンデータテーブル３００は、アイコンの識別情報であるアイコンＩＤと、表示部１１で表示する際の位置の一例である（位置）座標と、アイコンサイズと、アイコンに用いられる画像データを指定するオブジェクトＩＤと、端末の属性毎に起動するプログラムと、を１レコードに対応付けて記憶している。
【００２２】
オブジェクトＩＤによって規定されるアイコンの画像データは、ＣＰＵ１２の制御に従って、表示部１１に、（位置）座標で示された位置に描画される。また、本実施形態にかかるアイコンデータテーブル３００は、当該アイコンが接触した際に起動するプログラムとして、接触した携帯端末が属性１の場合の属性１プログラム、接触した携帯端末が属性２の場合の属性２プログラム、及び携帯端末以外（例えば利用者の指）が接触した場合の指対応プログラムの３種類を、アイコンＩＤと対応付けて記憶している。
【００２３】
ここでいうプログラムとは、実行コードが異なるものに限るわけではなく、同じ実行コードであっても異なる引数を渡すものも異なるプログラムと表現する。例えば、どれもウェブブラウザを起動するがそれぞれ異なるＵＲＬを渡す、あるいはメッセージ表示プログラムでありながら、異なるメッセージを渡す、というものを含んでいる。
【００２４】
図１に戻り、プログラム群２２は、表示処理装置１が実行するプログラムが格納されている。例えば、プログラム群２２には、上述した属性１プログラム、属性２プログラム、及び指対応プログラム等を含んでいる。
【００２５】
端末連携プログラム２３は、通信制御部１０１と、取得部１０２と、判定部１０３と、起動部１０４と、出力部１０５とを含み、表示部１１に対する接触を検出した場合に、プログラム群２２に含まれているプログラムを起動、又はデータを送受信させるための制御を行う。
【００２６】
通信制御部１０１は、通信部１７を用いて、携帯端末との間で通信を確立し、当該携帯端末との間でデータの送受信を行う。例えば、通信制御部１０１は、携帯端末から、当該携帯端末の属性が示された属性情報を受信する。さらには、通信制御部１０１は、当該携帯端末で生じた加速度を示した加速度検出信号や、傾き検出信号を受信する。
【００２７】
属性情報には、携帯端末で利用可能なデータのフォーマット形式が含まれているほか、送信元の携帯端末の機種名、カメラなのかオーディオプレーヤーなのかなどの端末種類、携帯端末で検出された傾き情報、端末認証情報が含まれている。さらには、表示可能な動画像データのサイズなどが含まれていてもよい。さらには、属性情報として、携帯端末について再生モード、データ送信モード、又はデータ受信モード等を示す動作モード（動作状態）、利用可能なデータサイズや、端末認証情報や鍵情報が含まれている。
【００２８】
出力部１０５は、表示部１１の表示領域に表示するために、表示部１１に対して、アイコンが配置された画面情報を出力する。アイコンは、各種データを表すものとする。
【００２９】
取得部１０２は、位置取得ＩＦ部１６を介して、位置取得部１５から入力された検出信号に基づいて、表示部１１の表示領域に接触されたことを示す検出情報を取得する。取得する検出情報には、検出の有無の他に、表示部１１の表示領域内における、接触が生じた位置座標が含まれている。
【００３０】
判定部１０３は、通信制御部１０１の制御により通信が確立され、携帯端末と通信が可能となった場合に、当該携帯端末の属性情報に基づいて、アイコンで示されている各種データについて、当該携帯端末が利用可能であるか否かを判定する。なお、本実施形態では、携帯端末が利用可能なデータであるか否かを、属性情報に含まれるフォーマット形式等に基づいて判定する例について説明するが、判定の基準を、属性情報に含まれるフォーマット形式等に制限するものではなく、携帯端末の属性、状況に基づいて判定できれば良い。
【００３１】
そして、出力部１０５は、判定部１０３による判定結果に基づいて、通信可能となった携帯端末が利用可能なデータを表すアイコンを、他のアイコンと表示態様を異ならせて表示部１１に出力する。なお、具体的な表示態様については後述する。
【００３２】
さらに、判定部１０３は、取得部１０２が携帯端末から検出情報を取得した時刻（換言すれば、接触を検出した時刻）と、通信制御部１０１が加速度検出信号を受信した時刻と、に基づいて、表示部１１に接触した携帯端末を特定する。本実施形態では、判定部１０３が、取得部１０２により接触が検出された時刻と、通信制御部１０１が加速度検出信号を受信した時刻と、の時間差が所定の閾値以内の場合に、当該加速度検出信号の送信先の携帯端末を接触した端末として判定する。なお、閾値は実施の態様により定められるものとする。
【００３３】
さらに、判定部１０３は、特定された携帯端末の属性と、アイコンデータテーブル３００と、加速度検出信号に含まれている位置座標と、に基づいて起動するプログラムを特定する。これにより、携帯端末の属性に応じたプログラムの起動が可能となる。
【００３４】
起動部１０４は、判定部１０３により特定されたプログラムを起動する。例えば、図３に示す例において、“Icon1”に対する接触を検出した場合に、携帯端末が“属性１プログラム”に対応するものであれば、属性１に対応する“プログラム１”を起動させる。なお、携帯端末が接触した位置の位置座標と、アイコンに対応付けられた位置座標とは、必ずしも一致、もしくは重なっている必要はない。例えば、これらの位置座標が、所定値以内の距離に近接している場合に、起動部１０４が、アイコンに対応するプログラムを起動させてもよい。
【００３５】
そして、出力部１０５は、判定部１０３による判定結果により、アイコンに接触した携帯端末（通信可能な携帯端末）が特定された後、通信制御部１０１により当該携帯端末との間で、アイコンで示されるデータを送受信する場合に、携帯端末の接触が検出された位置を基準に当該アイコンを移動させるアニメーション表示を、表示部１１の表示領域内で行う。
【００３６】
図４は、実施形態の携帯端末４００のハードウェア構成図である。図４に示されるように、携帯端末４００は、表示部４０１と、ＣＰＵ４０２と、表示コントローラ部４０３と、記憶部４０４と、位置取得部４０５と、位置取得ＩＦ（インターフェース）部４０６と、通信部４０７と、加速度検出部４０８と、傾き検出部４０９とを備えている。
【００３７】
携帯端末４００が備える表示部４０１、ＣＰＵ４０２、表示コントローラ部４０３、位置取得部４０５、位置取得ＩＦ（インターフェース）部４０６、及び通信部４０７は、表示処理装置１が備える表示部１１、ＣＰＵ１２、表示コントローラ部１３、位置取得部１５、位置取得ＩＦ（インターフェース）部１６、及び通信部１７と同様の処理を行うものとして、説明を省略する。なお、本実施形態にかかる携帯端末４００の表示部４０１は、表示処理装置１の表示部１１と比べて画面サイズが小さい例とする。
【００３８】
加速度検出部４０８は、携帯端末４００に設けられた加速度センサーから加速度を検出し、加速度情報をＣＰＵ４０２に出力する。
【００３９】
傾き検出部４０９は、携帯端末４００に設けられた傾きセンサーから傾きを検出し、傾き情報をＣＰＵ４０２に出力する。
【００４０】
記憶部４０４は、情報を記憶可能なＲＯＭ及びＲＡＭなどの記憶媒体で構成され、アイコン記憶部４１２と、プログラム群４１１と、表示連携プログラム４１３とを備えている。
【００４１】
アイコン記憶部４１２は、表示処理装置１のアイコン記憶部２１と同様に、ユーザインタフェース画面上に表示するアイコンの画像データと、アイコンが接触された場合に処理を行うプログラムと、表示部４０１のユーザインタフェースにおけるアイコンの表示位置を表す位置情報と、を対応付けて記憶している。
【００４２】
プログラム群４１１は、携帯端末４００でデータ（例えば動画データ、音声データ、写真データ）を再生、表示可能なプログラムを記憶する。
【００４３】
表示連携プログラム４１３は、制御部４２１と、通信制御部４２２と、表示制御部４２３と、を備え、携帯端末４００に常駐し、表示処理装置１と連携するための制御を行う。
【００４４】
制御部４２１は、表示処理装置１にデータを送信する際に、プログラム群４１１で再生、表示されているデータを送信対象として設定する。
【００４５】
通信制御部４２２は、表示処理装置１との間で通信が確立した際に、携帯端末４００の属性を示した属性情報を送信する制御を行う。また、通信制御部４２２は、表示処理装置１に対してデータの送信制御を行う際に、制御部４２１により設定されたデータの送信制御を行う。
【００４６】
表示制御部４２３は、通信制御部４２２により表示処理装置１との間でデータの受信が行われる場合に、通信制御部４２２により受信されるデータを表すアイコンが、表示部４０１の表示領域外から移動してくるアニメーション表示を行う。また、表示制御部４２３は、通信制御部４２２により表示処理装置１との間でデータの送信が行われる場合に、通信制御部４２２により送信されるデータを表すアイコンが、表示部４０１の表示領域外に移動していくアニメーション表示を行う。
【００４７】
上述した表示処理装置１及び携帯端末４００との間でデータの送受信が行われることになる。本実施形態では、データの送受信を、表示処理装置１のユーザインタフェース画面に対する操作をトリガーとして行う。
【００４８】
図５は、本実施形態の表示処理装置１で端末連携プログラム２３を実行した時のユーザインタフェース画面の例を示した図である。図５（ａ）に示されるように、表示処理装置１の表示部１１は、記憶部１４に記憶されている３つの動画データ、３つの音楽データ、及び２つの写真データを、それぞれ異なる種類のアイコンで表示している。さらには、時計を表すアイコンや、天気予報を表すアイコンが表示されている。
【００４９】
動画アイコン、音楽アイコン、写真アイコンが表されている、タッチパネル上の領域を、指で接触した場合に、表示処理装置１で再生表示する。一方、携帯端末４００で接触した場合には、携帯端末４００で利用可能なデータであれば、ダウンロードが開始される。また、天気を表すアイコンや、時計を表すアイコンの場合、指で接触された場合に、詳細が表示されるが、携帯端末４００で接触した場合に、同様の処理か無反応となり、ダウンロードは行われない。
【００５０】
しかしながら、図５（ａ）に示される画面例では、ユーザは、携帯端末４００でどのアイコンに接触した際に、ダウンロードを開始されるのか認識できない。このため、ユーザは、ダウンロード不可能なデータを表すアイコンを携帯端末４００で接触し続けることが考えられる。
【００５１】
さらには、携帯端末を、タッチパネル上に接触させる際に、そもそも当該携帯端末がデータのダウンロード機能を有しているか否かも判別できない。このため、図５（ａ）の画面では、ユーザがやみくもに携帯端末を、タッチパネルに表示されたアイコン毎に接触させて、確かめる以外ない。このため、ダウンロードされないために何度も接触を繰り返している場合には、強い衝撃が与えられ、当該衝撃により不具合が生じることも考えられる。
【００５２】
そこで、本実施形態では、ダウンロード可能なデータを表すアイコンと、ダウンロード不可能なデータを表すアイコンとの表示態様を異ならせることとした。
【００５３】
ユーザは、携帯端末４００で、表示処理装置１と通信をしたい場合に、携帯端末４００において、表示処理装置１とデータを通信するための表示連携プログラム４１３を起動させる。表示連携プログラム４１３は、表示処理装置１からの通信要求を待ち受け、通信要求があれば返信する。さらに、表示連携プログラム４１３は、通信要求を待ち受ける表示処理装置１の端末連携プログラム２３に対して、通信要求を行う。これにより、表示処理装置１は携帯端末４００との通信が可能となる。これにより、表示処理装置１は、データ通信が可能な携帯端末４００が存在していることを認識する。
【００５４】
なお、本機能のある携帯端末が１台しかない場合や、ＬＡＮの通信範囲が狭い場合等においては、携帯端末が、表示処理装置１と通信可能なＬＡＮの圏内に入る前から、表示連携プログラム４１３を立ち上げていてもよい。
【００５５】
通信が確立されている表示処理装置１と携帯端末４００との間で、ダウンロードを行うための通信が開始される。これにより、携帯端末４００の属性を示す属性情報が、表示処理装置１に送信される。
【００５６】
図５（ｂ）で示す例では、動画（Ｖｉｄｅｏ）に配列された３個の動画アイコンのうち、一番左、及び左から２番目のデータ形式をＩＴＵ  Ｈ２６３とし、一番右のデータ形式をＩＴＵ  Ｈ２６４とする。また、音楽（Ｍｕｓｉｃ）に配列された３個の音楽アイコンのうち一番左をＡＩＦＦとし、左から２番目、及び一番右のデータ形式をＭＰ３とする。
【００５７】
一方、判定部１０３は、携帯端末４００から受信した属性情報により、携帯端末４００がＩＴＵ  Ｈ２６４、ＭＰＥＧ２、ＭＰ３、ＡＡＣをサポートしていることを認識できる。
【００５８】
携帯端末４００とデータ通信が開始することで、図５（ｂ）で示される画面が表示される。図５（ｂ）に示す例では、判定部１０３による携帯端末４００で利用可能なデータであるか否かの判定結果に基づいて、出力部１０５が、携帯端末４００が利用可能なデータを表すアイコンを、他のアイコンと表示態様を異ならせて表示部１１に出力している。
【００５９】
さらには、アップロードアイコン５０４が新たに表示される。アップロードアイコン５０４は、携帯端末４００に接触したときにデータを表示処理装置１にアップロードするためのアイコンであり、指で接触してもアップロードできない。このため、アップロードアイコン５０４は、携帯端末が認識されない場合には非表示とし、携帯端末が認識された場合に表示される。
【００６０】
図５（ｂ）では、他と異なる表示態様として、アイコン５０１（ＩＴＵ  Ｈ２６４）、５０２＿１、５０２＿２（ＭＰ３）、５０３が浮き出るように（影が強調されて）表示される。また、アップロードアイコン５０４も、携帯端末４００が利用可能なため、浮き出るように（影が強調されて）表示される。なお、携帯端末４００で利用可能なデータであるか否かは、属性情報に基づいて判定される。
【００６１】
アイコン５０１（ＩＴＵ  Ｈ２６４）、５０２＿１、５０２＿２（ＭＰ３）、５０３以外のアイコンは、表示態様を変化させない。このため、アイコン５０１（ＩＴＵ  Ｈ２６４）、５０２＿１、５０２＿２（ＭＰ３）、５０３以外のアイコンを、携帯端末４００で接触してもデータの通信は行われない。
【００６２】
さらに、表示処理装置１が携帯端末４００の属性情報を受信した後、携帯端末４００の画面に、表示処理装置１と相互動作が可能になった旨のメッセージを表示してもよい。図５（ｂ）で示される例では、携帯端末４００の画面に●印が表示される。
【００６３】
また、本実施形態は、表示態様を制限するものではなく、様々な態様が考えられる。図６は、携帯端末４００が利用可能なデータを表すアイコンを、他のアイコンと表示態様を異ならせて表示された第１の画面の変形例を示した図である。図６に示す例では、アイコン６０１、６０２＿１、６０２＿２、６０３、アップロードアイコン６０４が、他のアイコンと異なる表示態様として、太い外枠を表示している。
【００６４】
異なる表示態様は、アイコンの大きさを変えたり、震えさせたり、点滅させたり、輝度や色を変えても良い。さらには、通信可能状態を示す追加アイコンを表示したり、接触可能なアイコンを指示する追加アイコンを表示しても良い。さらには、枠だけ点滅させてもよいし、点滅速度を変化させたり、震える速度を変化させてもよい。また、これらを組み合わせて表示しても良い。
【００６５】
さらには、携帯端末４００が利用可能なデータを表すアイコンと、利用不可能なデータを表すアイコンと、の表示態様を異ならせる手法として、携帯端末４００が利用できないデータを表す他のアイコンの方の表示態様を変更しても良い。
【００６６】
図７は、携帯端末４００が利用可能なデータを表すアイコンを、他のアイコンと表示態様を異ならせて表示された第２の画面の変形例を示した図である。図７に示す例では、図５と同様に、携帯端末４００で利用可能なデータを表すアイコンを、図５（ｂ）と同様に、浮き出るように（影が強調されて）表示し、携帯端末４００で利用できないデータを表すアイコン７０１＿１、７０１＿２、７０２、７０３、７０４、７０５に対して斜線を重畳して表示する。
【００６７】
また、携帯端末４００で利用できないデータを表すアイコンに対して表示態様を異ならせる手法としては、図７で示す例に制限するものではなく、輝度や色を薄くしてもよい。
【００６８】
図５に戻り、表示部１１の表示領域（ユーザインタフェース画面）に対して携帯端末４００で接触する場合について説明する。本実施形態にかかる表示処理装置１は、携帯端末４００を連携する端末として特定し、設定された動画データのアップロードが行われる。なお、特定手法については、後述する。
【００６９】
図５（ｃ）の例では、携帯端末４００が、表示部１１のアップロードアイコン５０４上に置かれた状態を示している。図５（ｃ）に示されるように、携帯端末４００が、アップロードアイコン５０４上で接触したことを検出すると、出力部１０５は、アイコンの表示が元に戻された画面を出力する。
【００７０】
これにより第１の携帯端末４００に格納されていたデータのアップロードがなされる。そして、アップロード終了後に、起動部１０４により起動されたプログラムが、アップロードされたデータの種別を判定し、当該データが動画、音楽、及び写真のいずれかを判別して、判別結果に応じて適切なアイコンを付与する。これにより、写真データが配置されている領域に、第１携帯端末４００からアップロードされた写真データを示すアイコン５１０が追加表示される。
【００７１】
本実施形態においては、携帯端末４００からデータをアップロードさせる際に、出力部１０５は、携帯端末４００が検出された位置からデータが出てくるようなアニメーション表示を行う。
【００７２】
図８は、表示処理装置１と携帯端末４００との連携処理が行われる際のタイミングチャートを示した図である。
【００７３】
携帯端末４００、４５０は、表示処理装置１に近づくことで、通信を開始する。本実施形態では、無線ＬＡＮで通信が行われる例とする。携帯端末４００、４５０が、表示処理装置１と同じＬＡＮの圏内に入ることで、相互間でＩＰアドレスを取得する。
【００７４】
まず、携帯端末４００が、ユーザの操作に従って、表示連携プログラム４１３（アプリケーション）を始動する（ステップＳ９０１）。その後、携帯端末４００が、表示処理装置１に対して属性情報を送信する（ステップＳ９０２）。なお、本実施形態では、属性情報の送信は、携帯端末４００、４５０の設定が変更される毎（例えば設定されているデータが変更される毎）に行ってもよい。また、属性情報の送受信は、定期的に行っても良い。
【００７５】
その後、表示処理装置１の通信制御部１０１が、受信した属性情報を、判定部１０３に受け渡す（ステップＳ９０３）。そして、判定部１０３は、属性情報に基づいて、携帯端末４００が利用可能なデータを判定する（ステップＳ９０４）。
【００７６】
そして、出力部１０５が、判定結果に基づいて、携帯端末４００が利用可能なデータを表すアイコンを、他のアイコンと表示態様が異なるように表示変更を行う（ステップＳ９０５）。これにより、図５（ｂ）で示す表示画面が表示される。
【００７７】
携帯端末４００が、アイコン上に置かれた瞬間、携帯端末４００の通信制御部４２２は、加速度検出部４０８が検出した加速度情報を、加速度検出信号として表示処理装置１に送信する。一方、表示処理装置１の取得部１０２は、位置取得部１５から送信された検出信号（位置座標を含む）により、アップロードアイコン５０４付近に物体が接触もしくは非常に近い位置に接触したことを示す検出情報を取得する。
【００７８】
そして、判定部１０３が、検出情報を取得した時刻と、携帯端末４００から加速度検出信号を受信した時刻とが非常に近い場合（所定の閾値以内の場合）に、加速度検出信号を送信した携帯端末４００が表示部１１に接触したと判定し、携帯端末４００を連携対象として判定する（ステップＳ９０６）。
【００７９】
そして、判定部１０３は、アイコンデータテーブル３００を参照し、携帯端末４００が接触したアイコンと関連付けられた複数のプログラムのうち、携帯端末４００の属性に基づいて、実行するプログラムを特定する。
【００８０】
そして、起動部１０４が判定部１０３により特定されたプログラムを起動する。そして、起動したプログラムは、通信部１７を介して、携帯端末４００との間でデータの送受信を行う（ステップＳ９０７）。
【００８１】
その後、携帯端末４５０がアップロードアイコン５０４上に置かれた場合に、取得部１０２が、位置取得部１５を介して検出信号（位置座標を含む）を受信することで、当該携帯端末４５０の接触を検出する。さらに、取得部１０２は、接触した位置座標を取得する。そして、通信制御部１０１が、携帯端末４５０から加速度検出信号を受信する。そして、判定部１０３が、アップロードアイコン５０４に接触した携帯端末４５０を特定し、携帯端末４００が接触した時と同様の処理を行う。
【００８２】
まず、携帯端末４００が、ユーザの操作に従って、表示連携携プログラム４１３（アプリケーション）を終了する（ステップＳ９０８）。その後、携帯端末４００が、表示処理装置１に対して、終了通知を送信する（ステップＳ９０９）。そして、通信制御部１０１が、出力部１０５に対して、通信が終了した旨を通知する（ステップＳ９１０）。これにより、出力部１０５が、アイコンの表示を元に戻された画面を、表示部１１に出力する（ステップＳ９１１）。
【００８３】
その後、表示処理装置１が、携帯端末４５０でアプリケーションが始動された場合（ステップＳ９１２）、アイコンの表示を変更する際に、携帯端末４５０に合わせて変更する（ステップＳ９１６）以外は、携帯端末４００と同様の処理を行うものとする（ステップＳ９１３〜Ｓ９１８）。
【００８４】
上述した処理を行うことで、ユーザは、表示処理装置１に表示されたアイコンのうち、携帯端末４００、４５０で利用可能なデータのアイコンを容易に識別できる。これにより、表示されているアイコンに対して、手当たりしだいに携帯端末４００、４５０で接触させて、利用可能なデータのアイコンを探すことを抑止できる。さらには、何の機能もないアイコンに触れて動作しないがために、接触を繰り返させることを抑止できる。
【００８５】
上述した処理手順では、表示処理装置１は、データ通信を行う対象が携帯端末１つの場合について説明した。しかしながら、表示処理装置１が、データ通信を行う対象を携帯端末１つに制限するものではなく、複数の携帯端末とデータ通信を行ってもよい。
【００８６】
表示処理装置１が、複数の携帯端末とデータを通信する場合、複数の携帯端末が同じ機能を有していない場合もある。この場合、複数の携帯端末で利用可能なデータが異なることになる。この場合、出力部１０５が出力する画面における、アイコンの表示態様の変更手法としては、様々な手法が考えられる。
【００８７】
例えば、出力部１０５が、複数の携帯端末のどちらでも利用可能なデータのアイコンについて表示態様を変更することが考えられる。または、複数の携帯端末のうちいずれか１つの携帯端末で利用可能なデータのアイコンのみ表示態様を変更する手法が考えられる。この場合、例えば、表示連携プログラムを起動させて、表示処理装置１と先にデータ通信可能になった携帯端末で利用可能なデータのアイコンのみ表示態様を異ならせ、表示処理装置１と後でデータ通信可能となった携帯端末に対応した、アイコンの表示態様の変更は行わない等が考えられる。
【００８８】
さらには、複数の携帯端末のそれぞれについて、利用可能なデータのアイコンが認識できるように、表示態様を変更しても良い。そこで、複数の携帯端末それぞれに利用可能なデータであることを認識させる表示態様について説明する。図９は、表示処理装置１と携帯端末４００、４５０との連携処理が行われる際のタイミングチャートを示した図である。
【００８９】
まず、携帯端末４００が、ユーザの操作に従って、表示連携プログラム４１３（アプリケーション）を始動する（ステップＳ１００１）。その後、携帯端末４００が、表示処理装置１に対して、属性情報を送信する（ステップＳ１００２）。
【００９０】
その後、表示処理装置１の通信制御部１０１が、受信した携帯端末４００の属性情報を、判定部１０３に受け渡す（ステップＳ１００３）。そして、判定部１０３は、属性情報に基づいて、携帯端末４００が利用可能なデータを判定する（ステップＳ１００４）。
【００９１】
そして、出力部１０５が、判定結果に基づいて、携帯端末４００が利用可能なデータを表すアイコンを、他のアイコンと表示態様が異なるように表示変更を行う（ステップＳ１００５）。これにより、図５（ｂ）で示す表示画面が表示される。
【００９２】
同様に、携帯端末４５０も、ユーザの操作に従って、表示連携プログラム４１３（アプリケーション）を始動する（ステップＳ１００６）。その後、携帯端末４５０が、表示処理装置１に対して、属性情報を送信する（ステップＳ１００７）。
【００９３】
その後、表示処理装置１の通信制御部１０１が、受信した携帯端末４５０の属性情報を、判定部１０３に受け渡す（ステップＳ１００８）。そして、判定部１０３は、属性情報に基づいて、携帯端末４５０が利用可能なデータを判定する（ステップＳ１００９）。
【００９４】
そして、出力部１０５が、判定結果に基づいて、携帯端末４００及び携帯端末４５０が利用可能なデータを表すアイコンを、他のアイコンと表示態様が異なるように表示変更を行う（ステップＳ１０１０）。これにより、図１０で示す表示画面が表示される。
【００９５】
図１０は、携帯端末４００、４５０が利用可能なデータを表すアイコンを、他のアイコンと表示態様を異ならせて表示された画面例を示した図である。図１０に示す例では、携帯端末４００が利用可能なデータと、携帯端末４５０が利用可能なデータとが識別できるようにアイコンの表示態様を異ならせている。図１０に示す例では、外枠の色（網掛け）を異ならせている。
【００９６】
つまり、図１０に示す例では、濃い網掛けで外枠が表されているアイコン８０４、８０６で示されるデータが、携帯端末４５０のみで利用可能なデータである。一方、薄い網掛けで外枠が表されているアイコン８０１、８０５で示されるデータが、携帯端末４００のみで利用可能なデータである。そして、薄い網掛けと濃い網掛けとを組み合わせた外枠が表されているアイコン８０２、８０３で示されるデータは、携帯端末４００、４５０の両方で利用可能なデータである。また、薄い網掛けと濃い網掛けとを組み合わせた外枠が表されているアップロードアイコン８０７も、携帯端末４００、４５０の両方で利用可能とする。
【００９７】
さらに、携帯端末４００、４５０の表示部４０１に表示される色（網掛け）により、ユーザは、各携帯端末で利用可能なアイコンを認識できる。
【００９８】
図９に戻り、携帯端末４００が、アイコン上に置かれた瞬間、携帯端末４００の通信制御部４２２は、加速度検出部４０８が検出した加速度情報を、加速度検出信号として表示処理装置１に送信する。一方、表示処理装置１の取得部１０２は、位置取得部１５から送信された検出信号（位置座標を含む）により、アップロードアイコン５０４付近に物体が接触もしくは非常に近い位置に接触したことを示す検出情報を取得する。
【００９９】
そして、判定部１０３が、検出情報を取得した時刻と、携帯端末４００から加速度検出信号を受信した時刻とが非常に近い場合（所定の閾値以内の場合）に、加速度検出信号を送信した携帯端末４００が表示部１１に接触したと判定し、携帯端末４００を連携対象として判定する（ステップＳ１０１１）。
【０１００】
そして、判定部１０３は、アイコンデータテーブル３００を参照し、携帯端末４００が接触したアイコンと関連付けられた複数のプログラムのうち、携帯端末４００の属性に基づいて、実行するプログラムを特定する。
【０１０１】
起動部１０４が判定部１０３により特定されたプログラムを起動する。そして、起動したプログラムは、通信部１７を介して、携帯端末４００との間でデータの送受信を行う（ステップＳ１０１２）。
【０１０２】
その後、表示処理装置１の通信制御部１０１が、第１携帯端末４００からの加速度検出信号と、第２携帯端末４５０からの加速度検出信号とを、ほぼ同じタイミングで受信したものとする。換言すれば、取得部１０２が接触を検知してから所定の閾値以内に、第１携帯端末４００及び第２携帯端末４５０から加速度検出信号を受信している。
【０１０３】
例えば、携帯端末４００が表示処理装置１の表示部１１にタッチしたタイミングと、カバンに入った状態の携帯端末４５０が、カバンごとどこかに衝突し、加速度を発生したタイミングと、がほぼ一致した場合が考えられる。さらには、第２携帯端末４５０で第１携帯端末４００と全く別の操作を行っていて、第２携帯端末４５０の画面をユーザが強くたたいたタイミングが、第１携帯端末４００が表示処理装置１の表示部１１にタッチしたタイミングと一致した場合等もあり得る。
【０１０４】
判定部１０３が、検出信号を受信した時刻に対して、携帯端末４００から受信した加速度検出信号の時刻、及び第２携帯端末４５０から受信した加速度検出信号の時刻が非常に近い（所定の閾値以内）と判定する（ステップＳ１０１３）。
【０１０５】
このように、判定部１０３が接触した携帯端末を複数特定した場合に、誤った端末にデータの送受信制御を行うことを抑止するために、特定した複数の携帯端末４００、４５０とデータの送受信を行わず、出力部１０５が、表示部１１に対して、「もう一度タッチしなおしてください」などのメッセージが表された画面情報を出力する（ステップＳ１０１４）。このように、再度、携帯端末の接触を促すことで、ユーザが所望する携帯端末との間でデータの送受信を実現できる。
【０１０６】
また、判定部１０３が接触した端末を複数特定した場合に、再度接触を促すことに制限するものではなく、両方とも接触したものとみなして、両方の携帯端末に対して、対応するプログラムを実行してもよい。このように実施態様に応じて動作を決定する。
【０１０７】
次に、出力部１０５によるアニメーション表示について説明する。図１１は、出力部１０５の表示制御による画面遷移の例を示した図である。図１１（ａ）においては、アップロードアイコン５０４に携帯端末４００が配置された状況を示している。なお、携帯端末４００では、すでにアップロード対象のデータは選択されているものとする。
【０１０８】
図１１（ａ）に示されるように、携帯端末４００に記憶されている写真データは、携帯端末４００の画面上にアイコンとして表示されている。そして、携帯端末４００が表示処理装置１の表示部１１に触れた際に、データ転送が開始される。
【０１０９】
次に、図１１（ｂ）〜（ｄ）に示されるように、出力部１０５は、データの転送の進行度合い（データの総容量に対する、転送完了したデータ量の割合）に応じて、表示されるアイコンの割合を変化させる。具体的には、出力部１０５は、アップロードが進むにつれて、表示されるアイコンの割合を大きくさせる。
【０１１０】
アニメーション表示は、表示処理装置１の出力部１０５と、携帯端末４００の表示制御部４２３と、の間で同期するように行う。具体的には、出力部１０５と、表示制御部４２３と、がアップロードの進行状況に応じた表示を行うことで、表示画面を同期させることができる。
【０１１１】
つまり、携帯端末４００の表示制御部４２３も、進行度合い（データの総容量に対する、未転送のデータ量）に応じて、表示されるアイコンの割合を変化させる。具体的には、携帯端末４００の表示制御部４２３は、アップロードが進むにつれて、表示されるアイコンの割合を小さくさせる。これにより、表示処理装置１と携帯端末４００との間で表示されるアイコンが同期する。
【０１１２】
さらに、出力部１０５が表示するアイコンの位置は、位置取得部１５によって取得された携帯端末４００の位置座標を基準に決定される。表示処理装置１の出力部１０５が表示するアイコンの位置と、携帯端末４００の表示制御部４２３が表示するアイコンの位置と、を合わせる。アイコンの位置等を同期させるために、携帯端末４００は、傾き情報を表示処理装置１に送信しておく。さらには、携帯端末４００は、携帯端末４００を特定するための機種情報や、画面サイズ、解像度等も、表示処理装置１に送信しておく。
【０１１３】
そして、図１１（ｂ）で示す様に、変形例にかかる表示処理装置１は、受信した傾き情報、及び機種情報（または携帯端末４００のサイズ）から特定される携帯端末４００の外辺から出てくるように、アイコンを表示してもよい。
【０１１４】
これにより、表示制御部４２３が表示するアイコンの一部と、表示制御部４２３が表示するアイコンの一部と、が組み合わさる。これにより、利用者は、一つのアイコンのように認識できる。
【０１１５】
そして、図１１（ｅ）に示されるように、表示制御部４２３は、データの転送完了時に、当該データを表すアイコン１１０１を表示する。その後、表示制御部４２３は、当該アイコン１１０１を、データの種別に応じて移動させる。
【０１１６】
表示制御部４２３が、上述した表示制御を行うことで、ユーザは、データの通信状況を認識できる。
【０１１７】
なお、端末連携プログラム２３は、携帯端末４００が表示部１１に接触したことを検出した場合に、すぐにデータ転送を開始するのではなく、携帯端末４００に確認のダイアログを表示し、ユーザに動作の確認を求めてもよい。これにより、第１携帯端末４００が接触したか否かの判定を誤った時にユーザの意思に反したデータ転送を抑止できる。
【０１１８】
また、表示処理装置１が、携帯端末４００の機種情報、解像度、画面サイズの情報を受信した際に、携帯端末４００に表示されるアイコンとサイズが合うように、アイコンのサイズを調整してもよい。これにより、携帯端末４００及び表示処理装置１上で、アイコンを同一、又はほぼ同一サイズで表示できる。
【０１１９】
また、データ転送の途中で携帯端末４００が表示部１１から離れた場合、表示処理装置１及び携帯端末４００の間のデータ転送を中止する。このように、ユーザは特段のキャンセルのための操作をせずに、直感的にデータ転送の中止を指示できる。
【０１２０】
また、出力部１０５は、携帯端末４００との間のデータの転送の開始前、あるいは転送中に、図１１（ａ）及び（ｂ）のような「転送ロック」「転送中断」のダイアログを表示してもよい。表示処理装置１が、当該ダイアログに対する選択を受け付けていない場合、転送を開始した後に、携帯端末４００が表示部１１から離された際、データ転送が中止される。一方、「転送ロック」の選択を受け付けている場合、携帯端末４００が表示部１１から離れた際であっても、データ転送が継続される。このように、ユーザの要求に応じたデータの転送が実現できる。
【０１２１】
また、表示処理装置１が「転送中断」の選択を受け付けた場合に、表示処理装置１及び携帯端末４００の間のデータ転送が中断される。つまり、「転送ロック」の選択を受け付けた場合、携帯端末４００を表示部１１から離しただけではデータ転送は中止されないが、ユーザから「転送中断」の選択を受け付けた場合には、データ転送を中断できる。これにより、ユーザが、「転送ロック」を選択したにも拘わらず、やはりデータ転送を中断したいと考えた時に、「転送中断」を選択することで、データ転送を中断できる。
【０１２２】
そして、出力部１０５は、データの転送が完了した後、データの種類に応じた位置まで、アイコンを移動させるアニメーション表示を行う。図１２は、出力部１０５によるアイコンの移動先の例を示した図である。図１２に示されるように、受信したデータが動画データの場合、出力部１０５は、当該動画データのアイコンを、位置１２０３まで移動させる。受信したデータが音楽データの場合、出力部１０５は、当該音楽データのアイコンを、位置１２０２まで移動させる。受信したデータが写真データの場合、出力部１０５は、当該写真データのアイコンを、位置１２０１まで移動させる。
【０１２３】
次に、表示処理装置１から携帯端末４００にデータをダウンロードさせる場合について説明する。表示処理装置１から、携帯端末４００にデータをダウンロードさせる場合、携帯端末４００で、表示部１１に表示されたアイコンに接触することで、当該アイコンで示されるデータのダウンロードが開始される。図１３は、表示処理装置１からデータをダウンロードさせる際の携帯端末４００の配置を示した図である。図１３に示す様に、携帯端末４００をアイコン１３０１上に配置することで、アイコン１３０１で示される写真データのダウンロードが開始される。
【０１２４】
出力部１０５は、ダウンロードさせる際も、アイコンが携帯端末４００に移動するようなアニメーション表示を行う。また、本実施形態では、データの通信状況に応じて、アイコン全体を拡大、縮小させる例について説明したが、様々な態様が考えられる。例えば、ダウンロードさせる携帯端末４００に向かって、アイコンの縦方向又は横方向に限り、拡大、縮小を行っても良い。
【０１２５】
図１４は、出力部１０５により出力される画面情報の遷移の例を示した図である。図１４（ａ）に示されるように、携帯端末４００が、アイコン１４０１上で接触したものとする。これにより、取得部１０２が、携帯端末４００の接触を検出し、当該携帯端末４００が接触しているアイコン１４０１で示されるデータが、ダウンロード対象として特定される。
【０１２６】
そして、出力部１０５は、表示処理装置１と携帯端末４００との間のダウンロード状況に応じて、アイコン１４０１を、携帯端末４００が接触している位置を基準として、横軸方向のみ縮小移動するよう、表示制御する。
【０１２７】
つまり、図１４（ｂ）のアイコン１４０２、（ｃ）のアイコン１４０３で示されるように、出力部１０５は、携帯端末４００に対するダウンロードが進むにつれて、アイコンが横軸方向のみ縮小移動するように表示制御する。また、アイコン１４０１が複数枚の画像で構成されている場合、ダウンロード状況に応じて、アイコンの絵柄を変化させても良い。図１４では、アイコンの中身がだんだん押しつぶされて、中の顔の表情が引きつっていくようにアニメーション表示させる例とする。
【０１２８】
ダウンロードする際に表示するアニメーションの別態様についても説明する。図１５は、変形例にかかる出力部１０５により出力される画面情報の遷移の第１の例を示した図である。図１５（ａ）に示されるように、携帯端末４００が、アイコン１５００上で接触したものとする。これにより、取得部１０２が、携帯端末４００の接触を検出し、当該携帯端末４００が接触しているアイコン１５００で示されるデータが、ダウンロード対象として特定される。
【０１２９】
次に、図１５（ｂ）のアイコン１５０１、（ｃ）のアイコン１５０２に示されるように、出力部１０５は、携帯端末４００の画面サイズ、解像度に合わせて、アイコンを縮小させるアニメーション表示を行う。この画面サイズ、解像度は、携帯端末４００が、予め表示処理装置１に送信しておく。また、表示処理装置１が、携帯端末４００から受信した機種情報に基づいて、画面サイズ、解像度を特定しても良い。
【０１３０】
図１５（ｄ）に示されるように、出力部１０５が、データの転送の進行度合い、具体的にはデータの総容量に対する、転送完了したデータ量の割合に応じて、アイコン１５０３が携帯端末４００を検出された位置に移動していくように、アニメーション表示する。
【０１３１】
そして、図１５（ｅ）に示されるように、出力部１０５は、ダウンロードが完了した時に、ダウンロードさせていた当該データを表すアイコンの表示を終了する一方、携帯端末４００の表示制御部４２３が、ダウンロードが完了したデータを表すアイコン１５０４全体を表示する。これにより、ユーザはデータのダウンロードが完了したことを認識できる。
【０１３２】
また、アイコンのアニメーション表示は、縮小、拡大制御に制限するものではなく、アイコンの色、輝度等を変化させてもよい。図１６は、変形例にかかる出力部１０５により出力される画面情報の遷移の第２の例を示した図である。図１６（ａ）に示されるように、携帯端末４００が、アイコン１６０１上で接触したものとする。これにより、取得部１０２が、携帯端末４００の接触を検出し、当該携帯端末４００が接触しているアイコン１６０１で示されるデータが、ダウンロード対象として特定される。
【０１３３】
そして、出力部１０５は、表示処理装置１と携帯端末４００との間のダウンロード状況に応じて、アイコン１６０１を、携帯端末４００が接触している位置を基準に、当該基準から最も離れた領域から、輝度及び色を変化させるアニメーション表示を行う。
【０１３４】
つまり、図１６（ｂ）のアイコン１６０２、（ｃ）のアイコン１６０３で示されるように、出力部１０５は、携帯端末４００に対するダウンロードが進むにつれて、携帯端末４００と接触している位置から離れた左辺から徐々に輝度を高くしていく（色を白に変化させていく）アニメーション表示を行う。これにより、時間経過と共に、絵柄が無くなっていくようなアニメーション表示がなされる。よって、アイコン１６０１〜１６０３で示されたデータが、携帯端末４００に入っていくように、ユーザに認識させることができる。
【０１３５】
上述した実施形態では、携帯端末が使用可能なデータに応じて、アイコンの表示態様を異ならせる例について説明した。しかしながら、表示態様を異ならせるのはアイコンに制限するものではない。例えば、表示処理装置１が表示しているログインボタンに対して、携帯端末で接触した場合に、表示処理装置１と携帯端末との間で識別情報及びパスワード等を交換し、ログインするシステムがある。このシステムに対して適用することが考えられる。
【０１３６】
具体的には、携帯端末４００でログインプログラムを起動した場合に、携帯端末４００が、表示処理装置１に対して属性情報を送信する。当該属性情報には、ログイン可能なシステムを識別する情報が含まれているものとする。
【０１３７】
そして、表示処理装置１の判定部１０３が、当該属性情報により、携帯端末４００がログインするために必要な情報を有していると判定した場合に、出力部１０５が、ログインボタンの表示態様を異ならせる。図１７は、出力部１０５により、表示態様が変更されたログインボタンが配置された画面例を示した図である。図１７に示す画面例では、ログインボタンが浮き出るように（影が強調されて）表示されている他、ログインできる旨のメッセージ（対応ＯＫ）が表示されている。当該表示がされている場合に、ログインボタン１７０１に携帯端末４００で接触すると、識別情報とパスワードとが交換されて、ログイン処理が行われる。
【０１３８】
また、表示処理装置１の判定部１０３が、当該属性情報により、携帯端末４００がログインするために必要な情報を有していないと判定した場合に、出力部１０５が、ログインボタンの表示態様を異ならせてもよい。図１８は、出力部１０５により、表示態様が変更されたログインボタンが配置された画面例を示した図である。図１８（ａ）に示す画面例では、ログインできない旨のメッセージ（対応ＮＧ）が表示されている。
【０１３９】
当該表示がされている場合に、ログインボタン１８０１に携帯端末４００で接触すると、図１８（ｂ）に示されるように、携帯端末４００によるログインができないため、出力部１０５は、「通常のログインをして下さい」１８０２というメッセージが含まれた画面情報を出力する。
【０１４０】
次に、本実施形態にかかる表示処理装置１における、携帯端末４００との間で通信を開始するまでの処理について説明する。図１９は、本実施形態にかかる表示処理装置１における上述した処理の手順を示すフローチャートである。
【０１４１】
通信部１７は、通信可能な携帯端末があるか否かを検出する（ステップＳ１９０１）。検出しなかった場合は（ステップＳ１９０１：Ｎｏ）、通信可能な携帯端末を検出するまでステップＳ１９０１の処理を繰り返す。一方、通信部１７が、通信可能な携帯端末を検出した場合（ステップＳ１９０１：Ｙｅｓ）、検出した携帯端末の各々と通信を開始する。そして、通信部１７を介して、端末連携プログラム２３が、携帯端末各々の属性情報を取得する（ステップＳ１９０２）。
【０１４２】
そして、判定部１０３が、属性情報に基づいて、携帯端末が利用可能なデータを判定する（ステップＳ１９０３）。そして、出力部１０５が、判定結果に従って、アイコンの表示態様を変更する（ステップＳ１９０４）。
【０１４３】
その後、取得部１０２が、位置取得部１５からの検出信号に基づいて、表示部１１に対する接触が検出されたか否かを判定する（ステップＳ１９０５）。取得部１０２が、表示部１１に対する接触が検出されたと判定した場合（ステップＳ１９０５：Ｙｅｓ）、取得部１０２は、検出信号に基づいて、接触が検出された位置座標を取得する（ステップＳ１９０６）。一方、表示部１１に対する接触が検出されなかったと判定した場合（ステップＳ１９０５：Ｎｏ）、ステップＳ１９０５の処理が繰り返される。
【０１４４】
次に、通信制御部１０１が、通信部１７を介して、携帯端末から加速度検出信号を受信したか否かを判定する（ステップＳ１９０７）。加速度検出信号を受信していない場合（ステップＳ１９０７：Ｎｏ）、携帯端末が接触したのではなく、人の指などが接触したものと見なして、位置座標に示される位置に人の指などが接触した場合の処理（プログラム）を特定する（ステップＳ１９１２）。そして、起動部１０４が、特定した処理（プログラム）を実行する（ステップＳ１９１３）。特定した処理としては、例えば、接触した位置に存在するアイコンで対応付けられたデータ（動画データ、音楽データ、写真データ）の再生、表示等とする。
【０１４５】
一方、通信制御部１０１が、加速度検出信号を受信した場合（ステップＳ１９０７：Ｙｅｓ）、判定部１０３が、検出信号に基づく接触を検出した時間と、加速度検出信号に基づく携帯端末で加速度が生じた時間と、が所定の閾値以内、換言すれば発生タイミングが近いか否かを判定する（ステップＳ１９０８）。所定の閾値以内でないと判定した場合（ステップＳ１９０８：Ｎｏ）、ステップＳ１９１２から処理を行う。
【０１４６】
一方、判定部１０３が所定の閾値以内と判定した場合（ステップＳ１９０８：Ｙｅｓ）、加速度検出信号を送信した携帯端末が接触したものとみなし、当該携帯端末をデータの送受信対象として特定する（ステップＳ１９０９）。
【０１４７】
判定部１０３が、接触したアイコンで示されるデータが、携帯端末４００で利用可能か否か判定する（ステップＳ１９１０）。利用可能でない場合（ステップＳ１９１０：Ｎｏ）、終了する。
【０１４８】
一方、判定部１０３が、利用可能と判定した場合（ステップＳ１９１０：Ｙｅｓ）、接触が生じた位置座標と、データの送受信対象の携帯端末の属性情報と、に対応するプログラムを特定する。そして、起動部１０４が、特定したプログラムを起動させる。これにより、表示処理装置１と携帯端末との間で通信が開始される（ステップＳ１９１１）。
【０１４９】
なお、本実施形態では、転送完了したデータ量に応じて、アイコンをアニメーション表示する例について説明した。しかしながら、アイコンの表示態様を、転送量に比例させることに制限するものではない。
【０１５０】
本実施形態は、アニメーション表示の開始を、データの転送の開始と同時に行うことに制限するものではなく、データの転送動作と関連したタイミングであればよい。例えば、転送終了したタイミングでアニメーション表示を開始しても良いし、アイコンに接触したタイミングでアニメーション表示を開始しても良い。
【０１５１】
また、本実施形態では、データを表す表示情報をアイコンに制限するものではなく、データを表す画像データであれば良く、例えばサムネイル等であっても良い。サムネイルを用いた場合、転送中のデータの内容が何であるかを、ユーザに認識させるのが容易になる。
【０１５２】
また、本実施形態では、表示処理装置１が、テレビジョン表示装置のように、表示部１１が垂直に配置されているため、携帯端末４００の傾き情報を受信することで、携帯端末４００が接触している領域を特定する例について説明した。しかしながら、表示部１１が垂直に配置されている場合に制限するものではなく、水平等で配置されていてもよい。この場合、方位磁石機能付きの携帯端末から方位情報を取得することで、携帯端末が接触している領域を特定できる。
【０１５３】
以上に示した本実施形態の表示処理装置１では、携帯端末による表示部１１のアイコンへの接触があった場合に、取得した加速度検出信号から、接触された携帯端末を特定した上で、当該携帯端末に転送するためのプログラムを起動している。そのため、表示処理装置１と送受信可能な携帯端末が複数存在する場合でも、ユーザが意図する携帯端末との間で転送することを可能とした。これにより誤送信を抑止し、ユーザの利便性を向上させることができる。
【０１５４】
また、起動するプログラムに対して適切な携帯端末の属性情報を渡すことで、プログラムは携帯端末に応じてプログラムを実行することができ、利便性を向上させることができる。
【０１５５】
上述した表示処理装置１においては、転送データの状況に応じたアニメーション表示を行うことで、ユーザは転送状況を容易に把握できる。さらには、携帯端末が置かれた位置に応じて、表示態様を異ならせることで、ユーザに対して現在行われている処理を直感的に認識させることが容易になる。
【０１５６】
さらには、データ本体の転送を行う前に、当該データを表すアイコンの転送を行うことで、どのようなデータを転送するのかユーザに認識させるのが容易になる。さらには、表示処理装置１と携帯端末４００との間で表示するアイコンを同期させることができる。これにより、視認性が向上する。
【０１５７】
上述した実施形態にかかる表示処理装置１によれば、アイコン（表示情報）の表示態様に応じて、携帯端末で利用可能か否か認識できる。これにより、ユーザの利便性が向上すると共に、何度も接触させて不具合が生じることを抑止できる。
【０１５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、請求の範囲に記載された発明とその均等の範囲に含まれる。
【図１】
2014155730.tif 000003
【図２】
2014155730.tif 000004
【図３】
2014155730.tif 000005
【図４】
2014155730.tif 000006
【図５】
2014155730.tif 000007
【図６】
2014155730.tif 000008
【図７】
2014155730.tif 000009
【図８】
2014155730.tif 000010
【図９】
2014155730.tif 000011
【図１０】
2014155730.tif 000012
【図１１】
2014155730.tif 000013
【図１２】
2014155730.tif 000014
【図１３】
2014155730.tif 000015
【図１４】
2014155730.tif 000016
【図１５】
2014155730.tif 000017
【図１６】
2014155730.tif 000018
【図１７】
2014155730.tif 000019
【図１８】
2014155730.tif 000020
【図１９】
2014155730.tif 000021
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
表示装置が表示を行う表示領域付近に物体を検出したことを示す検出情報を取得する取得部と、
通信端末との間でデータの送受信を可能とする通信部と、
データを表す表示情報が配置された画面情報を表示部に出力すると共に、前記通信部により前記通信端末と通信が可能となった場合に、当該通信端末から受信した、当該通信端末の属性を示した属性情報に基づいて、当該通信端末が利用可能なデータを表す前記表示情報を、他の表示情報と表示態様を異ならせて前記表示部に出力する出力部と、
前記取得部が取得した前記検出情報と、前記通信端末から受信した前記属性情報と、に基づいて、前記表示領域付近に前記通信端末が検出された場合に、前記出力部により前記他の表示情報と表示態様が異ならされた前記表示情報で表されるデータの通信を、前記通信部を用いて前記通信端末との間で行う通信制御部と、
を備える表示処理装置。
【請求項２】
前記表示領域で接触が行われた場合に当該接触を検出可能な表示装置を、
さらに備える請求項１に記載の表示処理装置。
【請求項３】
前記出力部は、前記通信制御部により複数の通信端末と通信可能な場合に、前記複数の通信端末の各々が利用可能か否かに応じて表示態様を異ならせて前記表示部に出力する、
請求項１又は２に記載の表示処理装置。
【請求項４】
前記出力部が表示する表示情報は、データを表すアイコン、サムネイル、又はボタンである、
請求項１又は２に記載の表示処理装置。
【請求項５】
前記出力部は、当該通信端末が利用可能なデータを表す前記表示情報について、影を強調、又は外枠の色を異ならせて前記表示部に出力する、
請求項１又は２に記載の表示処理装置。
【請求項６】
表示装置が表示を行う表示領域付近に物体を検出したことを示す検出情報を取得する取得ステップと、
データを表す表示情報が配置された画面情報を表示部に出力すると共に、通信部により前記通信端末と通信が可能となった場合に、当該通信端末から受信した、当該通信端末の属性を示した属性情報に基づいて、前記通信端末が利用可能なデータを表す前記表示情報を、他の表示情報と表示態様を異ならせて表示部に出力する出力ステップと、
前記取得ステップが取得した前記検出情報と、前記通信端末から受信した前記属性情報と、に基づいて前記表示領域付近に前記通信端末が検出された場合に、前記出力ステップにより前記他の表示情報と表示態様が異ならされた前記表示情報で表されるデータの通信を、前記通信部を用いて前記通信端末との間で行う通信制御ステップと、
を有する表示処理方法。
【国際調査報告】
2014155730.tif 000022
2014155730.tif 000023
2014155730.tif 000024
2014155730.tif 000025